【手続補正書】
【提出日】平成28年6月6日(2016.6.6)
【手続補正１】
【補正対象書類名】明細書
【補正対象項目名】０００７
【補正方法】変更
【補正の内容】
【０００７】
本発明は、上記目的を達成するため、
加速度を計測する加速度センサと、
前記加速度の大きさに係る計測値が所定の基準値を跨いで変化した際に検出信号を出力する検出信号出力手段と、
前記検出信号を用いて前記計測値が前記所定の基準値を超えた運動状態の継続時間を算出する運動継続時間算出手段と、
前記運動状態の発生頻度と、当該運動状態において各々算出された前記継続時間とに基づいて、前記運動状態がユーザの走行によるものであるか否かを判別する走行判別手段と、
前記走行判別手段において、前記ユーザの走行によるものであると判別された場合に、所定期間、走行状態として設定する走行状態設定手段と、
前記運動状態が複数回計測された場合において、前記検出信号を用いて当該複数回の運動状態の時間間隔を算出する運動間隔算出手段と、
算出された前記継続時間及び前記時間間隔に基づく判別条件に従って、前記複数回の計測が連続したユーザのタップ操作によるものであるかを判別する連続タップ判別手段と、
を備えることを特徴とする携帯表示装置である。
【手続補正２】
【補正対象書類名】特許請求の範囲
【補正対象項目名】全文
【補正方法】変更
【補正の内容】
【特許請求の範囲】
【請求項１】
加速度を計測する加速度センサと、
前記加速度の大きさに係る計測値が所定の基準値を跨いで変化した際に検出信号を出力する検出信号出力手段と、
前記検出信号を用いて前記計測値が前記所定の基準値を超えた運動状態の継続時間を算出する運動継続時間算出手段と、
前記運動状態の発生頻度と、当該運動状態において各々算出された前記継続時間とに基づいて、前記運動状態がユーザの走行によるものであるか否かを判別する走行判別手段と、
前記走行判別手段において、前記ユーザの走行によるものであると判別された場合に、所定期間、走行状態として設定する走行状態設定手段と、
前記運動状態が複数回計測された場合において、前記検出信号を用いて当該複数回の運動状態の時間間隔を算出する運動間隔算出手段と、
算出された前記継続時間及び前記時間間隔に基づく判別条件に従って、前記複数回の計測が連続したユーザのタップ操作によるものであるかを判別する連続タップ判別手段と、
を備えることを特徴とする携帯表示装置。
【請求項２】
前記判別条件には、前記継続時間の上限値が含まれることを特徴とする請求項１記載の携帯表示装置。
【請求項３】
前記加速度センサは、直交する３方向の加速度を各々計測し、
前記検出信号出力手段は、何れかの方向への加速度に係る計測値が前記所定の基準値を上回ってから、前記３方向全てへの加速度に係る計測値が前記所定の基準値を下回るまでの期間に亘り前記検出信号を出力することを特徴とする請求項１又は２に記載の携帯表示装置。
【請求項４】
前記加速度センサは、直交する３方向の加速度を各々計測し、
前記検出信号出力手段は、何れかの方向への加速度に係る計測値が前記所定の基準値を上回った場合、及び、前記３方向全てへの加速度に係る計測値が前記所定の基準値を下回った場合に、パルス波形の前記検出信号を出力することを特徴とする請求項１〜３の何れか一項に記載の携帯表示装置。
【請求項５】
前記検出信号出力手段は、表示画面に垂直な方向の垂直加速度の大きさに係る計測値について、前記所定の基準値を予め定められた向きに跨いで変化した際に検出信号を出力する垂直加速度検出信号出力手段と、前記表示画面に平行な面内における平行加速度の大きさに係る計測値について、前記所定の基準値を予め定められた向きに跨いで変化した際に検出信号を出力する平行加速度検出信号出力手段と、を備え、
前記走行判別手段は、前記平行加速度についての前記運動状態の発生頻度と、当該運動状態において各々算出された前記継続時間とに基づいて、前記運動状態がユーザの走行によるものであるか否かを判別し、
前記連続タップ判別手段は、算出された前記垂直加速度についての前記継続時間及び前記時間間隔に応じて、前記複数回の計測が連続したタップ操作によるものか否かを判別する
ことを特徴とする請求項１〜４の何れか一項に記載の携帯表示装置。
【請求項６】
前記検出信号出力手段は、
第１基準値に対応する前記検出信号を出力する第１検出信号出力手段と、
前記第１基準値より大きい第２基準値に対応する前記検出信号を出力する第２検出信号出力手段と
を備え、
前記運動継続時間算出手段は、前記第２基準値を上回ってから前記第１基準値を下回るまでの継続時間を算出する
ことを特徴とする請求項１〜５の何れか一項に記載の携帯表示装置。
【請求項７】
前記検出信号出力手段は、
第１基準値に対応する前記検出信号を出力する第１検出信号出力手段と、
前記第１基準値より大きい第２基準値に対応する前記検出信号を出力する第２検出信号出力手段と
を備え、
前記運動継続時間算出手段は、前記非走行状態では、前記第２基準値を上回ってから当該第２基準値を下回るまでの継続時間を算出し、前記走行状態では、前記第１基準値を上回ってから当該第１基準値を下回るまでの継続時間を算出する
ことを特徴とする請求項１〜６の何れか一項に記載の携帯表示装置。
【請求項８】
前記検出信号出力手段は、前記加速度センサと同一のチップ上に形成されていることを特徴とする請求項１〜７の何れか一項に記載の携帯表示装置。
【請求項９】
加速度を計測する加速度センサを用いた携帯表示装置への操作検出方法であって、
前記加速度の大きさに係る計測値が所定の基準値を跨いで変化した際に検出信号を出力する検出信号出力ステップ、
前記検出信号を用いて前記計測値が前記所定の基準値を超えた運動状態の継続時間を算出する運動継続時間算出ステップ、
前記運動状態の発生頻度と、当該運動状態において各々算出された前記継続時間とに基づいて、前記運動状態がユーザの走行によるものであるか否かを判別する走行判別ステップ、
前記走行判別ステップで、前記ユーザの走行によるものであると判別された場合に、所定期間、走行状態として設定する走行状態設定ステップ、
前記運動状態が複数回計測された場合において、前記検出信号を用いて当該複数回の運動状態の時間間隔を算出する運動間隔算出ステップ、
算出された前記継続時間及び前記時間間隔に基づく判別条件に従って、前記複数回の計測が連続したユーザのタップ操作によるものであるかを判別する連続タップ判別ステップ、
を含むことを特徴とする操作検出方法。
【請求項１０】
加速度を計測する加速度センサと、
前記加速度の計測値が所定の基準値を跨いで変化した際に検出信号を出力する検出信号出力手段と、
前記検出信号を用いて前記計測値が前記所定の基準値を超えた運動状態の継続時間を算出する運動継続時間算出手段と、
前記継続時間に基づいて、前記運動状態がユーザの走行によるものであるか否かを判別する走行判別手段と、
前記走行判別手段において、前記ユーザの走行によるものであると判別された場合に、走行状態として設定する走行状態設定手段と、
前記運動状態が複数回計測された場合において、前記検出信号を用いて当該複数回の運動状態の時間間隔を算出する運動間隔算出手段と、
算出された前記継続時間及び前記時間間隔に基づく判別条件に従って、前記複数回の計測が連続したユーザのタップ操作によるものであるかを判別する連続タップ判別手段と、
を備えることを特徴とする携帯表示装置。
【請求項１１】
加速度を計測する加速度センサと、
前記加速度の計測値が所定の基準値を跨いで変化した際に検出信号を出力する検出信号出力手段と、
前記検出信号を用いて前記計測値が前記所定の基準値を超えた運動状態の継続時間を算出する運動継続時間算出手段と、
前記運動状態が複数回計測された場合において、前記検出信号を用いて当該複数回の運動状態の時間間隔を算出する運動間隔算出手段と、
算出された前記継続時間及び前記時間間隔に基づく判別条件に従って、前記複数回の計測が連続したユーザのタップ操作によるものであるかを判別する連続タップ判別手段と、
を備えることを特徴とする携帯表示装置。